(57)【要約】【課題】放送により生活リズムを乱されることを抑制し、また、必要な放送を聞き逃すことを抑制することができる無線受信装置を提供する。【解決手段】無線送信された情報を受信する受信部と、受信した受信情報に基づき音声信号を作成し出力する制御部と、制御部から出力された音声信号を音声として出力する音声出力部と、現在時刻情報を出力する時計部と、放送時間帯情報と放送内容情報とを記憶する記憶部とを備え、制御部は、受信情報が緊急情報である場合は、該緊急情報に基づき音声信号を作成して音声出力部へ出力し、受信情報が緊急情報でない場合は、時計部からの現在時刻情報と記憶部に記憶した放送時間帯情報を参照し、現在時刻情報が放送時間帯情報に含まれる放送時間帯の範囲内である場合は、受信情報に基づき音声信号を作成して音声出力部へ出力し、現在時刻情報が放送時間帯の範囲内でない場合は、受信情報を放送内容情報として記憶部に記憶するように無線受信装置を構成する。【選択図】図２
2012142687.tif 000002
【特許請求の範囲】
【請求項１】
外部から無線送信された情報を受信する受信部と、
前記受信部で受信した受信情報に基づき音声信号を作成し出力する制御部と、
前記制御部から出力された音声信号を音声として出力する音声出力部と、
前記制御部へ現在時刻情報を出力する時計部と、
放送時間帯情報と放送内容情報とを記憶する記憶部とを備える無線受信装置であって、
前記制御部は、前記受信情報が緊急情報である場合は、該緊急情報に基づき音声信号を作成して前記音声出力部へ出力し、前記受信情報が緊急情報でない場合は、前記時計部からの現在時刻情報と前記記憶部に記憶した放送時間帯情報を参照し、前記現在時刻情報が前記放送時間帯情報に含まれる放送時間帯の範囲内である場合は、前記受信情報に基づき音声信号を作成して前記音声出力部へ出力し、前記現在時刻情報が前記放送時間帯の範囲内でない場合は、前記受信情報を前記放送内容情報として前記記憶部に記憶することを特徴とする無線受信装置。
【発明の詳細な説明】
【技術分野】
【０００１】
本発明は、放送機能を備えた無線受信装置に関し、例えば、市町村単位に設置され地域住民へ防災等に関する情報を伝える市町村防災無線同報系システム等の、防災無線システムに用いられる戸別受信機等の無線受信装置において、受信した時間帯によって放送等の動作を設定する技術に関するものである。
【背景技術】
【０００２】
従来の無線通信システムにおける情報の伝達方法として、例えば、市町村防災デジタル無線通信システムが知られている。この市町村防災デジタル無線通信システムにおいては、親局から、屋外に設置され拡声装置を備えた子局（屋外拡声子局）や家屋内に設置される戸別受信機に対し、緊急情報等を送信し、該緊急情報等を受信した屋外拡声子局は、拡声装置を用いて音声通報により、地域住民へ緊急情報等を一斉通報で伝達し、前記緊急情報等を受信した戸別受信機は、該戸別受信機の表示部や音声出力部へ、緊急情報等を出力する。
【０００３】
このような防災無線で使用される戸別受信機は、親局から送信される情報を受信すると、受信した情報を直ちに放送する。他方、戸別受信機が設置される家庭の生活リズムはまちまちであり、そのため、家庭によっては就寝時間中であっても放送されるので、睡眠を妨げられることがある。例えば、地域のコミュニケーションの手段として定時放送を行っている場合に、毎日朝早くの放送だと、家庭によってはまだ起きていないときの放送となり、生活リズムを崩されることがある。
その対策として、戸別受信機の音量を最小にすることにより、睡眠の妨害とならないようにすることは可能であるが、必要な放送を聞き逃すこともあり、また、日中は音量を通常に戻すといった手間がかかることになる。
【０００４】
下記の特許文献１には、例えば市町村単位に設置される同報無線システムにおいて、親局から複数の子局へ報知情報を同報送信する技術が開示されている。
【先行技術文献】
【特許文献】
【０００５】
【特許文献１】特開２００５-２０３９９９公報
【発明の概要】
【発明が解決しようとする課題】
【０００６】
本発明は、上述したような従来の課題を解決するために為されたもので、放送により生活リズムを乱されることを抑制し、また、必要な放送を聞き逃すことを抑制することのできる無線受信装置を提供することを目的とする。
【課題を解決するための手段】
【０００７】
上記課題を解決するための、本願発明の代表的な構成は、次のとおりである。すなわち、
外部から無線送信された情報を受信する受信部と、
前記受信部で受信した受信情報に基づき音声信号を作成し出力する制御部と、
前記制御部から出力された音声信号を音声として出力する音声出力部と、
前記制御部へ現在時刻情報を出力する時計部と、
放送時間帯情報と放送内容情報とを記憶する記憶部とを備える無線受信装置であって、
前記制御部は、前記受信情報が緊急情報である場合は、該緊急情報に基づき音声信号を作成して前記音声出力部へ出力し、前記受信情報が緊急情報でない場合は、前記時計部からの現在時刻情報と前記記憶部に記憶した放送時間帯情報を参照し、前記現在時刻情報が前記放送時間帯情報に含まれる放送時間帯の範囲内である場合は、前記受信情報に基づき音声信号を作成して前記音声出力部へ出力し、前記現在時刻情報が前記放送時間帯の範囲内でない場合は、前記受信情報を前記放送内容情報として前記記憶部に記憶することを特徴とする無線受信装置。
【発明の効果】
【０００８】
本願発明によれば、従来の無線受信装置と比べ、放送により生活リズムを乱されることを抑制し、また、必要な放送を聞き逃すことを抑制することができる。
【図面の簡単な説明】
【０００９】
【図１】本発明の実施例における無線通信システムの構成例を示す図である。
【図２】本発明の実施例における無線受信装置の構成例を示す図である。
【図３】本発明の実施例における放送受信時の動作を示すフローチャートである。
【図４】本発明の実施例における自動再生時の動作を示すフローチャートである。
【発明を実施するための形態】
【００１０】
本発明の実施形態の一例である無線通信システムについて、図１を参照しながら説明する。図１は、本発明の実施例に係る無線通信システム、例えば、市町村防災行政無線システムの構成例を示す図である。本例の無線通信システムは、図１に示すように、親局１０と子局２０や子局３０を有する。親局１０は、通常、防災センター、市役所あるいは町村役場といった行政当局の建物内に設置されている基地局や中継局である。子局２０及び３０は、図１では各１つだけ記載しているが、複数存在することができる。親局１０は、操作員が緊急情報等の配信情報を作成し、手動放送、又は設定登録による自動放送等を行う操作卓１２と、例えばＪ−ＡＬＥＲＴ（全国瞬時警報システム）等の外部の情報源からの緊急地震速報などの緊急性を要する配信情報を受信し、該配信情報に基づき、子局２０や３０との間の各種情報の送受信を行う親局無線送受信装置１１とを備えている。
【００１１】
親局無線送受信装置１１は、親局無線部１５と親局制御部１４を備える。親局無線部１５は、アンテナ１３を介して、子局２０や３０との間の無線による送受信を行う。親局制御部１４は、親局無線送受信装置１１の動作全体を制御する。親局制御部１４は、ハードウエア構成としては、ＣＰＵ（Central  Processing  Unit）と親局制御部１４の動作プログラム等を格納するメモリを備えており、ＣＰＵは、この動作プログラムに従って動作する。
【００１２】
本例では、子局２０は屋外拡声子局であり、子局３０は戸別受信機である。屋外拡声子局２０は、親局１０との間の送受信を行うアンテナ２１と、親局１０から受信した情報を音声として出力するスピーカ２２とを備えている。
【００１３】
戸別受信機３０は、一般的に市町村内の各家庭内に設置され、行政機関からの定期放送や緊急放送を受信し、拡声して住民に情報を提供するものである。戸別受信機３０の構成について、図２を用いて説明する。図２は、本発明の実施例における無線受信装置である戸別受信機３０の構成例を示す図である。
戸別受信機３０は、受信部３２と、各種の情報を表示する表示部３６と、音声を出力するスピーカである音声出力部３７と、各種データの入力や操作指示を受け付ける操作部３８と、時計部３４と、記憶部３５と、戸別受信機３０の各構成部や戸別受信機全体を制御する制御部３１とを備えている。
【００１４】
受信部３２は、親局１０から無線で送信された情報をアンテナ３３を介して受信するものである。表示部３６は、受信部３２からの受信情報に基づき制御部３１で処理され出力された表示情報を表示し、音声出力部３７は、受信部３２からの受信情報に基づき制御部３１で処理され出力された音声信号を音声として出力するものである。時計部３４は、水晶発振器等を用いて現在時刻を発生し、制御部３１へ出力するものである。現在時刻は、操作部３８により調整することができる。
【００１５】
記憶部３５は、放送時間帯情報３５１と、放送内容情報３５２と、録音設定情報３５３と、再生時刻情報３５４を記憶する。
放送時間帯情報３５１には、受信部３２で受信した受信情報が緊急情報でない場合に、該緊急情報でない受信情報を放送してもよい放送時間帯が設定されている。この放送時間帯情報３５１の設定や変更は、操作員が操作部３８から行うことができる。
放送内容情報３５２には、受信部３２で受信した受信情報である放送内容が、後述する録音設定情報３５３が録音設定である場合に記憶される。
【００１６】
録音設定情報３５３は、受信部３２で受信した受信情報を放送内容情報３５２として記憶するか否かを設定するもので、録音設定情報３５３が録音設定である場合は、受信部３２で受信した受信情報を放送内容情報３５２として記憶する。この録音設定情報３５３の設定や変更は、操作員が操作部３８から行うことができる。
再生時刻情報３５４は、放送内容情報３５２として記憶した放送内容を再生して音声出力部３７から音声出力する再生時刻を記憶する。この再生時刻情報３５４の設定や変更は、操作員が操作部３８から行うことができる。
【００１７】
次に、制御部３１の機能について説明する。
制御部３１は、受信部３２で受信した受信情報が緊急情報である場合は、該緊急情報に基づき音声信号を作成して通常音量、又は通常音量よりも大きい音量となるよう音声出力部３７へ出力する。
受信部３２で受信した受信情報が緊急情報でない場合は、制御部３１は、時計部３４からの現在時刻情報と記憶部３５に記憶した放送時間帯情報３５１を参照し、現在時刻情報が放送時間帯情報３５１に含まれる放送時間帯の範囲内である場合は、受信情報に基づき音声信号を作成して、例えば通常音量となるよう音声出力部３７へ出力する。
現在時刻情報が放送時間帯の範囲内でない場合は、制御部３１は、記憶部３５に記憶した録音設定情報３５３を参照し、録音設定情報３５３が録音設定である場合は、受信情報を放送内容情報３５２として記憶部３５に記憶する。
録音設定情報３５３が録音設定でない場合は、制御部３１は、受信情報に基づき音声信号を作成して通常音量よりも小さい音量となるよう音声出力部３７へ出力する。
なお、受信部３２で受信した受信情報は、そのまま音声出力が可能な音声データ、つまり、そのまま制御部３１において音声信号として音声出力が可能な音声データであってもよいし、制御部３１において音声合成して音声信号を作成する際に、該音声合成の基となるデータであってもよい。
【００１８】
制御部３１は、受信情報を放送内容情報３５２として記憶部３５に記憶した場合は、その後、次の（１）、（２）の処理を繰り返し行う。
（１）その時点で、受信情報を音声出力部３７へ出力中である場合は、制御部３１は、その音声出力を続行し、音声出力終了後、処理を終了する。受信情報を音声出力部３７へ出力中でない場合は、制御部３１は、時計部３４からの現在時刻情報と記憶部３５に記憶した再生時刻情報３５４を参照し、現在時刻情報が再生時刻情報３５４に含まれる再生時刻を過ぎていない場合は、処理を終了する。
（２）現在時刻情報が再生時刻情報３５４に含まれる再生時刻を過ぎている場合は、制御部３１は、放送内容情報３５２として記憶した放送内容を再生して、通常音量となるよう音声出力部３７から音声出力し、処理を終了する。
【００１９】
制御部３１は、ハードウエア構成としては、ＣＰＵ（Central  Processing  Unit）と制御部３１の動作プログラム等を格納するメモリを備えており、ＣＰＵは、この動作プログラムに従って動作する。
【００２０】
次に、本実施例における戸別受信機の放送受信時の動作について、図３を用いて説明する。図３は、本発明の実施例における戸別受信機の放送受信時の動作を示すフローチャートである。
図３において、戸別受信機３０の受信部３２は、親局１０から放送を受信する（ステップＳ１）。制御部３１は、受信部３２で受信した受信情報の放送種別が緊急情報である場合は（ステップＳ２でＹｅｓ）、該緊急情報である放送種別に基づき音声信号を作成して通常音量で音声出力部３７へ出力する（ステップＳ３）。
【００２１】
受信部３２で受信した受信情報が緊急情報でない場合は（ステップＳ２でＮｏ）、制御部３１は、そのときの現在時刻が予め定めた放送時間内であるかを判断する（ステップＳ４）。すなわち、制御部３１は、時計部３４からの現在時刻情報と記憶部３５に記憶した放送時間帯情報３５１を参照し、現在時刻情報が放送時間帯情報３５１に含まれる放送時間帯の範囲内である場合は（ステップＳ４でＹｅｓ）、受信情報に基づき音声信号を作成して通常音量となるよう音声出力部３７へ出力する（ステップＳ３）。
【００２２】
現在時刻情報が放送時間帯の範囲内でない場合は（ステップＳ４でＮｏ）、制御部３１は、予め録音設定がされているかを判断する（ステップＳ５）。すなわち、制御部３１は、記憶部３５に記憶した録音設定情報３５３を参照し、録音設定情報３５３が録音設定である場合は（ステップＳ５でＹｅｓ）、放送内容を録音する、すなわち、受信情報を放送内容情報３５２として記憶部３５に記憶する（ステップＳ６）。
録音設定情報３５３が録音設定でない場合は（ステップＳ５でＮｏ）、制御部３１は、受信情報に基づき音声信号を作成して通常音量よりも小さい音量となるよう音声出力部３７へ出力する（ステップＳ７）。
【００２３】
次に、本実施例における戸別受信機の自動再生時の動作について、図４を用いて説明する。図４は、本発明の実施例における戸別受信機の自動再生時の動作を示すフローチャートである。制御部３１は、受信情報を放送内容情報３５２として記憶部３５に記憶した場合は（図３のステップＳ６）、その後、図４に示すＳ１１〜Ｓ１６の処理を繰り返し行う。
図４において、制御部３１は、その時点で、受信情報を放送中である場合、すなわち、受信情報を音声出力部３７へ出力中である場合は（ステップＳ１２でＹｅｓ）、放送中の音声出力を続行し（ステップＳ１３）、放送終了後、処理を終了する（ステップＳ１６）。
【００２４】
受信情報を放送中でない場合、すなわち、受信情報を音声出力部３７へ出力中でない場合は（ステップＳ１２でＮｏ）、制御部３１は、そのときの現在時刻が予め定めた録音再生時刻であるかを判断する（ステップＳ１４）。すなわち、制御部３１は、時計部３４からの現在時刻情報と記憶部３５に記憶した再生時刻情報３５４を参照し、現在時刻情報が再生時刻情報３５４に含まれる再生時刻を過ぎていない場合は（ステップＳ１４でＮｏ）、処理を終了する（ステップＳ１６）。
現在時刻情報が再生時刻情報３５４に含まれる再生時刻を過ぎている場合は（ステップＳ１４でＹｅｓ）、制御部３１は、放送内容情報３５２として記憶した放送内容を再生して、通常音量となるよう音声出力部３７から音声出力し（ステップＳ１５）、処理を終了する（ステップＳ１６）。
【００２５】
以上述べた実施例によれば、放送により生活リズムを乱されることを抑制し、また、必要な放送を聞き逃すことを抑制することができる。
【００２６】
なお、本発明は、本発明に係る処理を実行する装置としてだけでなく、システム、方法として、或いは、このような方法やシステムを実現するためのプログラムや当該プログラムを記録する記録媒体などとして把握することができる。
また、本発明は、ＣＰＵがメモリに格納された制御プログラムを実行することにより制御する構成としてもよく、また、ハードウエア回路として構成してもよい。
さらに、本発明は、上述した実施形態に限定されるものではなく、種々変形して実施することができる。
【００２７】
本明細書には、無線受信装置に関する次の発明が含まれる。すなわち、第１の発明は、
外部から無線送信された情報を受信する受信部と、
前記受信部で受信した受信情報に基づき音声信号を作成し出力する制御部と、
前記制御部から出力された音声信号を音声として出力する音声出力部と、
前記制御部へ現在時刻情報を出力する時計部と、
放送時間帯情報と放送内容情報とを記憶する記憶部とを備える無線受信装置であって、
前記制御部は、前記受信情報が緊急情報である場合は、該緊急情報に基づき音声信号を作成して前記音声出力部へ出力し、前記受信情報が緊急情報でない場合は、前記時計部からの現在時刻情報と前記記憶部に記憶した放送時間帯情報を参照し、前記現在時刻情報が前記放送時間帯情報に含まれる放送時間帯の範囲内である場合は、前記受信情報に基づき音声信号を作成して前記音声出力部へ出力し、前記現在時刻情報が前記放送時間帯の範囲内でない場合は、前記受信情報を前記放送内容情報として前記記憶部に記憶することを特徴とする無線受信装置。
このようにすると、従来の無線受信装置と比べ、放送により生活リズムを乱されることを抑制し、また、必要な放送を聞き逃すことを抑制することができる。
【００２８】
本願発明の第２の発明は、上記第１の発明の無線受信装置であって、
前記記憶部は、録音設定情報を記憶し、
前記制御部は、前記現在時刻情報が前記放送時間帯の範囲内でない場合は、前記記憶部に記憶した録音設定情報を参照し、該録音設定情報が録音設定である場合は、前記受信情報を前記放送内容情報として前記記憶部に記憶し、前記録音設定情報が録音設定でない場合は、前記受信情報に基づき音声信号を作成して、前記現在時刻情報が前記放送時間帯の範囲内である場合の音量よりも小さい音量となるよう前記音声出力部へ出力することを特徴とする無線受信装置。
このようにすると、放送内容を録音できない場合に、小さい音量で音声出力することができ、放送により生活リズムを乱されることを抑制できる。
【００２９】
本願発明の第３の発明は、上記第２の発明の無線受信装置であって、
前記記憶部は、再生時刻情報を記憶し、
前記制御部は、前記時計部からの現在時刻情報と前記記憶部に記憶した再生時刻情報を参照し、前記現在時刻情報が前記再生時刻情報に含まれる再生時刻を過ぎている場合は、前記放送内容情報として記憶した放送内容を再生して、前記音声出力部から音声出力させることを特徴とする無線受信装置。
このようにすると、予め設定した再生時刻になると、録音した放送内容を音声出力することができ、必要な放送を聞き逃すことを抑制することができる。
【００３０】
本願発明の第４の発明は、
外部から無線送信された情報を受信する受信部と、
前記受信部で受信した受信情報に基づき音声信号を作成し出力する制御部と、
前記制御部から出力された音声信号を音声として出力する音声出力部と、
前記制御部へ現在時刻情報を出力する時計部と、
放送時間帯情報と放送内容情報とを記憶する記憶部とを備える無線受信装置であって、
前記制御部は、前記受信情報が緊急情報である場合は、該緊急情報に基づき音声信号を作成して前記音声出力部へ出力し、前記受信情報が緊急情報でない場合は、前記時計部からの現在時刻情報と前記記憶部に記憶した放送時間帯情報を参照し、前記現在時刻情報が前記放送時間帯情報に含まれる放送時間帯の範囲内である場合は、前記受信情報に基づき音声信号を作成して通常音量となるよう前記音声出力部へ出力し、前記現在時刻情報が前記放送時間帯の範囲内でない場合は、前記受信情報に基づき音声信号を作成して前記通常音量よりも小さい音量となるよう前記音声出力部へ出力することを特徴とする無線受信装置。
このようにすると、放送時間帯でない場合は、通常音量よりも小さい音量で音声出力するので、放送により生活リズムを乱されることを抑制できる。
【符号の説明】
【００３１】
１０・・親局、１１・・親局無線送受信装置、１２・・操作卓、１３・・アンテナ、１４・・親局制御部、１５・・親局無線部、２０・・子局、２１・・アンテナ、２２・・スピーカ、３０・・戸別受信機、３１・・制御部、３２・・受信部、３３・・アンテナ、３４・・時計部、３５・・記憶部、３６・・表示部、３７・・音声出力部、３８・・操作部、３５１・・放送時間帯情報、３５２・・放送内容情報、３５３・・録音設定情報、３５４・・再生時刻情報。
【図１】
2012142687.tif 000003
【図２】
2012142687.tif 000004
【図３】
2012142687.tif 000005
【図４】
2012142687.tif 000006